(57)【要約】【課題】  ＩＳＯ１６００以上の高感度フイルムを装填したレンズ付きフイルムユニットにおける循環生産時のコスト低減を図る。【解決手段】  新規に製造されたユニット本体に、ＩＳＯ３２００のフイルム感度を有する高感度フイルムを装填し、暗い撮影シーンにおける背景の描写性を向上させた製品として販売する。ユーザによって使用され、現像所などで引き取られたユニット本体を回収し、循環生産にまわす。循環生産で再生されたユニット本体にＩＳＯ４００のフイルム感度を有する常用感度フイルムを装填し、明るい撮影シーンにおける背景の描写性を向上させた別機種の製品として再び販売する。【選択図】        図９
2006071809.tif 000002
【特許請求の範囲】
【請求項１】
ＩＳＯ１６００以上の写真フイルムが組み込まれていたユニット本体を撮影済みの写真フイルムが取り出された後に回収し、回収したユニット本体にＩＳＯ８００以下の写真フイルムを新たに組み込んで別機種の製品として再生するレンズ付きフイルムユニットの再生方法。
【請求項２】
ＩＳＯ３２００の写真フイルムが組み込まれていたユニット本体を撮影済みの写真フイルムが取り出された後に回収し、回収したユニット本体にＩＳＯ４００の写真フイルムを新たに組み込んで別機種の製品として再生するレンズ付きフイルムユニットの再生方法。
【請求項３】
前記ユニット本体は、絞りがＦ１６．０でシャッタ速度が１／１００秒の第１撮影モードと、絞りがＦ４．０でシャッタ速度が１／４５秒の第２撮影モードとの間で切り替える撮影モード切り替え手段を備えていることを特徴とする請求項１又は２記載のレンズ付きフイルムユニットの再生方法。
【発明の詳細な説明】
【技術分野】
【０００１】
本発明は、レンズ付きフイルムユニットの再生方法に関する。
【背景技術】
【０００２】
未露光の写真フイルムが予め装填された１回使用型の簡易カメラであるレンズ付きフイルムユニットが知られている。このレンズ付きフイルムユニットは、シャッタ機構やフイルム巻上げ機構などの撮影機構が簡略化されて安価であることや、撮影操作が簡単であることなどを特徴としており、手軽に利用できることから一般に広く普及している。
【０００３】
レンズ付きフイルムユニットは、その普及にともなうようにして、例えば、夜間用、接近用、望遠用、連続撮影用など、様々な撮影シーンに対応した複数の製品が販売されている。また近年では、本出願人により製造・販売されている「Ｎｉｇｈｔ＆Ｄａｙ（商品名）」などで知られるように、ＩＳＯ１６００以上の高感度の写真フイルムが装填されたモード切り替え型のレンズ付フイルムユニットも登場している。
【０００４】
このようなレンズ付きフイルムユニットでは、環境への影響を考慮して、現像所で引き取られた使用済みのレンズ付きフイルムユニットを製造元のメーカが回収し、製品毎の仕分け、分解、検査、再組立などの工程を経て再び販売する循環生産システムが採用されているが、一度使用されたレンズ付きフイルムユニットを、新品と同様の品質で再び販売するために必要な検査工程や修理工程に掛かるコストは莫大であり、新品を製造するのと同等か、場合によってはそれ以上のコストを要してしまうという問題があった。
【０００５】
そのため、レンズやストロボ装置などをユニット化してリユース率を高めたり、前カバーや後カバーなどの樹脂素材をペレット化してリサイクル率を高めるなど、種々の工夫を凝らして循環生産時のコスト低減を図っている。
【発明の開示】
【発明が解決しようとする課題】
【０００６】
循環生産の最終工程として、検査工程を経て新たな写真フイルムが装填されたレンズ付フイルムユニットから、いくつかを選出して振動テスト、光漏れテスト、実写テストなどを行う抜き取り検査を実施している。この抜き取り検査は、新品を製造する際にも行われているのであるが、循環生産では、新品の製造よりもこの段階で異常が確認される割合が高い。抜き取り検査時に異常が確認された場合、装填された写真フイルムは無駄になってしまう。特に、前述したＩＳＯ１６００以上の高感度フイルムは、ＩＳＯ４００程度の常用感度フイルムと比較して割高であり、高感度フイルムを装填したレンズ付フイルムユニットの抜き取り検査で異常が確認された際には、不具合によるコスト増が嵩み、結果として新品を製造するよりもコストが掛かってしまうという問題があった。
【０００７】
本発明は、上記課題を鑑みてなされたものであって、循環生産時のコスト低減を図ったレンズ付きフイルムユニットの再生方法を提供することを目的とする。
【課題を解決するための手段】
【０００８】
上記課題を解決するため、本発明のレンズ付きフイルムユニットの再生方法は、ＩＳＯ１６００以上の写真フイルムが組み込まれていたユニット本体を撮影済みの写真フイルムが取り出された後に回収し、回収したユニット本体にＩＳＯ８００以下の写真フイルムを新たに組み込んで別機種の製品として再生することを特徴とする。
【０００９】
なお、前記ユニット本体は、絞りがＦ１６．０でシャッタ速度が１／１００秒の第１撮影モードと、絞りがＦ４．０でシャッタ速度が１／４５秒の第２撮影モードとの間で切り替える撮影モード切り替え手段を備えていることが好ましい。
【発明の効果】
【００１０】
本発明のレンズ付きフイルムユニットの再生方法によれば、例えば、ＩＳＯ３２００の写真フイルムを組み込んだ製品を新規に製造し、撮影済みの写真フイルムが取り出された後のユニット本体を回収して循環生産にまわし、検査工程などを経て再生されたユニット本体にＩＳＯ４００の写真フイルムを新たに組み込んで別機種の製品として再生させることにより、適正露出値の異なる２つの製品を、新規の製造ラインと循環生産による製造ラインとのそれぞれに分けて製造することが可能であり、それぞれの製造ラインでの生産効率を向上させてコストダウンを図ることができる。また、循環生産時にはＩＳＯ８００以下の常用感度フイルムを装填するので、不具合によるコスト増を抑えて、循環生産時のコスト低減を図ることができる。
【発明を実施するための最良の形態】
【００１１】
［第１実施形態］
図１及び図２に、レンズ付きフイルムユニットの外観を示す。レンズ付きフイルムユニット２は、各種撮影機構が組み込まれたユニット本体３と、このユニット本体３の製造時に装填されるフイルムパトローネ２２（図３参照）と、ユニット本体３の外周に巻き付けられるようにして貼られるラベル４とからなる。ラベル４には、ユニット本体３の各部を露呈させるための開口が形成されている。
【００１２】
ユニット本体３の前面には、撮影レンズ５、ファインダ６、撮影モード選択部（撮影モード切り替え手段）８が設けられている。また、ユニット本体３の上面には、レリーズボタン９、カウンタ表示窓１０が設けられ、背面には撮影後のフイルム巻き上げに用いられる巻き上げノブ１２の一部が露呈している。
【００１３】
撮影モード選択部８は、ユニット本体３の前面に形成された操作開口１４と、この操作開口１４内で回動自在とされた略小判形状の操作部材１５とからなる。操作部材１５は、図１に示される第１操作位置と、図２に示される第１操作位置から図中時計方向に回動した第２操作位置との間で回動する。
【００１４】
レンズ付きフイルムユニット２は、操作部材１５が第１操作位置にある際に、小絞り及び高速シャッタの第１撮影モードとなる。また、操作部材１５が第２操作位置にある際には、大絞り及び低速シャッタの第２撮影モードとなる。なお、例えば、第２撮影モードのときにファインダ６内に所定の表示をするなどして、撮影者がファインダ６を覗いた状態で第１撮影モードと第２撮影モードとのいずれであるかを判別できるようにしてもよい。
【００１５】
ユニット本体３の構成を図３に示す。ユニット本体３は、１３５タイプのフイルムパトローネ２２が装填される本体基部２３と、撮影モードの切り替えを行うモード切替機構２５と、本体基部２３の前面側及び背面側に取り付けられる前カバー２６及び後カバー２７とからなる。なお、フイルムパトローネ２２は、ＩＸ２４０タイプやブローニタイプなどの、その他のタイプを用いるようにしてもよい。
【００１６】
フイルムパトローネ２２は、パトローネ２２ａと、写真フイルム２２ｂとからなり、前述のようにユニット本体３の製造時に装填される。このとき、写真フイルム２２ｂとして、ＩＳＯ３２００のフイルム感度を有する高感度フイルムと、ＩＳＯ４００のフイルム感度を有する常用感度フイルムとのいずれか一方を選択して本体基部２３に装填することにより、適正露出値が異なる製品を製造することができる。
【００１７】
本体基部２３の前面中央には、遮光筒３５が設けられている。この遮光筒３５の周囲には、シャッタチャージ機構、シャッタ機構、フイルム巻き上げ機構、フイルム巻き止め機構、フイルムカウント機構、絞り切替機構、シャッタ速度切替機構、撮影光学系、ファインダ光学系などが組み込まれている。
【００１８】
図４は、遮光筒３５の周囲に組み込まれたシャッタレリーズ機構、絞り切替機構、シャッタ速度切替機構、撮影光学系の構成を示す分解斜視図である。遮光筒３５の前面には、矩形状の露光開口３７が形成されている。遮光筒３５の側方には、シャッタ羽根３８を揺動自在に支持するピン３９と、バネ４０の一端が掛けられるピン４１とが設けられている。
【００１９】
シャッタ機構を構成するシャッタ羽根３８は、ピン３９に挿通される穴４３ａが形成されたベース部４３と、露光開口３７の前方に配置されて該露光開口３７の開閉を行う羽根部４４と、ベース部４３と羽根部４４とを接続する連結部４５とからなる。ベース部４３には、バネ４０の他端が掛けられるピン４３ｂと、シャッタ駆動レバー４７によって蹴飛ばされる突出部４３ｃと、速度調節突起４３ｄとが設けられている。シャッタ羽根３８は、バネ４０に付勢されて露光開口３７を塞ぐ閉じ位置に保持されている。
【００２０】
シャッタ駆動レバー４７は、シャッタ機構を構成する部品の１つであり、シャッタチャージ機構によって図中矢線Ａと逆方向に回動し、チャージ位置にセットされる。そして、レリーズボタン９の押圧操作に応答して、チャージ解除位置に向けて矢線Ａ方向に回動し、その際にシャッタ羽根３８の突出部４３ｃを蹴飛ばす。シャッタ駆動レバー４７に蹴飛ばされたシャッタ羽根３８は、バネ４０の付勢に抗して図中矢線Ｂ方向に回動し、露光開口３７を全開した後に、バネ４０の付勢によって閉じ位置に復帰する。シャッタ羽根３８は、露光開口３７を全開させる全開位置を経て、レンズホルダ５６の内面に設けられたストッパーピン５６ａ（図５、図６参照）に当接する移動端位置に達するまで回動可能にされている。
【００２１】
レンズホルダ５６の上部には、ストップレバー４９を回動自在に支持するピン５０が形成されている。ストップレバー４９は、ピン５０に支持されるボス５１と、このボス５１の側面から突出した２本のアーム５２、５３とからなり、一方のアーム５２の先端にパッド５２ａが形成されている。
【００２２】
このストップレバー４９は、パッド５２ａがシャッタ羽根３８の速度調節突起４３ｄの移動軌跡内に入り込んだ高速シャッタ位置と、パッド５２ａがその移動軌跡から退避した低速シャッタ位置との間で回動する。
【００２３】
図５に示すように、ストップレバー４９が高速シャッタ位置にあるときにシャッタレリーズが行われると、シャッタ羽根３８の速度調節突起４３ｄがパッド５２ａに当接するので、シャッタ羽根３８は全開位置から移動端位置への途中で回動が阻止される。これにより、短時間でシャッタ羽根３８が閉じ位置に復帰する。このときのシャッタ速度は、１／１００秒とされており、これが第１撮影モードの高速シャッタのシャッタ速度となる。
【００２４】
上記とは逆に、図６に示すように、ストップレバー４９が低速シャッタ位置にあるときには、速度調節突起４３ｄがパッド５２ａに当接しないで回動する。このため、シャッタ羽根３８は、移動端位置まで回動する。その結果、シャッタ羽根３８が閉じ位置に復帰するまでの時間が長くなって、シャッタ速度が遅くなる。このときのシャッタ速度は１／４５秒とされており、これが第２撮影モードの低速シャッタのシャッタ速度となる。
【００２５】
図４に示されるように、遮光筒３５の前方には、レンズホルダ５６が取り付けられる。レンズホルダ５６の前面中央には、筒形状の鏡筒５７が形成されている。鏡筒５７内には、開口５８が形成されており、鏡筒５７の側面には切り欠き５９が形成されている。鏡筒５７内には、撮影レンズ５を構成する第１レンズ６０と第２レンズ６１とが収納される。これら第１レンズ６０と第２レンズ６１との間には、大絞り板６２、絞り切替板６３の挿入スペースを確保するスペーサ６４が収められる。レンズホルダ５６の前面には、鏡筒５７に収められた撮影レンズ５などの部品と、鏡筒５７の外周に取り付けられた切替リング６８とが外れないように押さえるレンズ押さえ板６５が取り付けられる。
【００２６】
絞り切替機構は、大絞り板６２、絞り切替板６３、スペーサ６４、切替リング６８などから構成されている。大絞り板６２は、円形の薄板からなり、中央に大径の絞り開口６２ａが形成されている。絞り開口６２ａは、第２撮影モードの大絞りとなるものであって、絞り値がＦ４．０となるようにその径が決められている。
【００２７】
絞り切替板６３は、く字形状の薄板からなり、一端に大絞り開口６２ａを塞ぐ大きさの小絞り部６３ａが設けられ、この小絞り部６３ａに小径の絞り開口６３ｂが形成されている。絞り開口６３ａは、第１撮影モードの小絞りとなるものであって、絞り値がＦ１６．０となるようにその径が決められている。絞り切替板６３の他端には、穴６３ｃと屈曲した長穴６３ｄとが形成されている。穴６３ｃは、レンズホルダ５６の鏡筒５７の近傍に形成されたピン６６に挿通され、絞り切替板６３を揺動自在とする。
【００２８】
上記の絞り切替板６３は、小絞り部６３ａを撮影光軸上に配置する小絞り位置と、小絞り６３ａを切り欠き５９から鏡筒５７の外に退避させ、大絞り開口６２ａを露呈させる大絞り位置との間で揺動する。小絞り位置では、撮影光が大径の大絞り開口６２ａと、小径の小絞り開口６３ｂとを通過するようになり、結果的には径の小さい小絞り開口６３ｂによって光量が制限される。
【００２９】
鏡筒５７の外周には、切替リング６８が回動自在に嵌入される。切替リング６８には、バネ７０の一端が掛けられるバネ掛けピン６８ａと、絞り切替板６３の長穴６３ｄに挿入されるリンクピン６８ｂと、ストップレバー４９のアーム５３を間に挟み込む一対の挟持ピン６８ｃと、背面側に突出した従動ピン６８ｄとが設けられている。
【００３０】
バネ７０の他端は、レンズホルダ５６の前面下部に形成されたピン７１に掛けられ、切替リング６８を図中矢線Ｃ方向に付勢する。なお、バネ７０によって付勢された切替リング６８は、絞り切替板６３によって所定の位置に保持される。
【００３１】
操作部材１５には、略小判形状の切替板７４が一体に形成されており、この切替板７４には水平方向に突出した押圧レバー７４ａが一体に形成されている。操作部材１５が第１操作位置から第２操作位置に回動すると、押圧レバー７４ａが切替リング６８の従動ピン６８ｄを下方から押圧する。これにより、切替リング６８は、バネ７０の付勢に抗して矢線Ｃ方向とは反対の方向に回動する。
【００３２】
第１撮影モードのときの切替リング６８の状態を図７に、第２撮影モードのときの切替リング６８の状態を図８にそれぞれ示す。図７に示されるように、操作部材１５が第１操作位置のときには、操作部材１５の押圧レバー７４ａは切替リング６８の従動ピン６８ｄに接触しない。そのため、切替リング６８は、絞り切替板６３によって初期位置に保持される。
【００３３】
切替リング６８が初期位置にある際には、リンクピン６８ｂによって絞り切替板６３の小絞り部６３ａが鏡筒５７内に挿入される。これにより、小絞り部６３ａが大絞り開口６２ａを塞いで小絞り状態となる。また、同時に一対の挟持ピン６８ｃは、ストップレバー４９を高速シャッタ位置に保持する。
【００３４】
一方、図８に示すように、操作部材が１５が第１操作位置から第２操作位置へと回動すると、バネ７０の付勢に抗して押圧レバー７４ａが従動ピン６８ｄを下方から押圧し、切替リング６８を図中反時計方向に回動させる。この切替リング６８の回動により、リンクピン６８ｂに押圧された絞り切替板６３が図中時計方向に回動し、小絞り部６３ａが光軸上から退避して大絞り状態となる。また、一対の挟持ピン６８ｃは、ストップレバー４９を低速シャッタ位置に保持する。以上により、第１撮影モードと第２撮影モードとの切り替えが行われる。
【００３５】
次に、図９に示すフローチャートを参照しながら、レンズ付きフイルムユニット２の製造工程について説明する。
【００３６】
先ず、上記構成のユニット本体３を新規に製造する。このユニット本体３には、ＩＳＯ３２００のフイルム感度を有する高感度フイルムが装填される。ユニット本体３の本体基部２３に高感度フイルムを装填した場合、ＩＳＯ１００を基準とした適正露出値は、第１撮影モードで９．６、第２撮影モードで４．５となり、第１撮影モードでは日中の屋外に対応し、第２撮影モードでは暗い室内や夜景などに対応する。従って、高感度フイルムを装填した場合（以下、夜景モード搭載タイプと称す）では、暗い撮影シーンにおける背景の描写性を向上させた製品として販売することができる。なお、ＩＳＯ１００を基準とした適正露出値は、適正露出値をＥＶ、絞り値をＦ、シャッタ速度をＴ（秒）、フイルム感度をＳとしたとき、次式（１）で表すことができる。
ＥＶ＝ｌｏｇ2 （Ｆ2 ／Ｔ）−ｌｏｇ2 （Ｓ／１００）  ・・・（１）
【００３７】
高感度フイルムが装填されたユニット本体３には、それに対応するラベル４とパッケージ（図示は省略）とが付与され、夜景モード搭載タイプのレンズ付きフイルムユニット２として販売される。
【００３８】
ユーザによって使用されたレンズ付きフイルムユニット２は、現像所などに持ち込まれるのが一般的である。現像所では、持ち込まれたレンズ付きフイルムユニット２からフイルムパトローネ２２を抜き出し、写真フイルム２２ｂを現像してプリント写真を作成する。レンズ付きフイルムユニット２の製造元のメーカは、フイルムパトローネ２２が抜き出された残りのユニット本体３を現像所から回収し、回収したユニット本体３を循環生産にまわす。
【００３９】
循環生産では、回収されたユニット本体３を分解して、前カバー２６、後カバー２７などのリサイクル部品と、本体基部２３、モード切替機構２５などのリユース部品とに選別する。リサイクル部品は、粉砕加工されて一度原料レベルまで戻された後、再び所定の部品に成型される。リユース部品は、それぞれの部品毎に種々の検査が行われた後、必要に応じて修理が施され、再利用される。各種の工程を経たリサイクル部品、及びリユース部品は、再びユニット本体３に組み立てなおされる。
【００４０】
この組み立てなおされたユニット本体３には、ＩＳＯ４００のフイルム感度を有する常用感度フイルムが装填される。ユニット本体３の本体基部２３に常用感度フイルムを装填した場合、ＩＳＯ１００を基準とした適正露出値は、第１撮影モードで１２．６、第２撮影モードで７．５となり、第１撮影モードでは晴天時の屋外などに対応し、第２撮影モードでは室内に対応する。従って、常用感度フイルムを装填した場合（以下、室内モード搭載タイプと称す）では、明るい撮影シーンにおける背景の描写性を向上させた別機種の製品として販売することができる。
【００４１】
常用感度フイルムが装填されたユニット本体３には、高感度フイルムを装填した場合と同様に、対応するラベル４とパッケージとが付与され、新規に製造した場合と同様の品質を備えた室内モード搭載タイプのレンズ付きフイルムユニット２として販売される。なお、新規に製造した場合と循環生産で製造した場合とのいずれにおいても、完成したレンズ付きフイルムユニット２の中からいくつかを選出して振動テスト、光漏れテスト、実写テストなどを行う抜き取り検査が実施される。
【００４２】
このようにレンズ付きフイルムユニット２を再生させることによって、適正露出値の異なる２つの製品を、新規の製造ラインと循環生産による製造ラインとのそれぞれに分けて製造することが可能であり、それぞれの製造ラインでの生産効率を向上させてコストダウンを図ることができる。また、不具合の発生する割合が高い循環生産時には常用感度フイルムを装填するので、抜き取り検査時の不具合によるコスト増を抑えて、循環生産時のコスト低減を図ることができる。
【００４３】
また、高感度フイルムを装填した夜景モード搭載タイプのレンズ付きフイルムユニット２よりも、安価であることや対応する撮影シーンの頻度が高いことなどが起因して、常用感度フイルムを装填した室内モード搭載タイプのレンズ付きフイルムユニット２の方が、出荷台数が多い傾向にある。そのため、夜景モード搭載タイプのレンズ付きフイルムユニット２を新規に製造し、室内モード搭載タイプのレンズ付きフイルムユニット２を循環生産で繰り返し再生させることにより、新規に製造する原料のコストを低減させることができるとともに、効率よく安定した商品供給を行うことができる。
【００４４】
［第２実施形態］
上記第１実施形態では、フラッシュ装置を持たないレンズ付きフイルムユニットの例を示したが、本発明はこれに限ることなく、図１０〜１２の外観斜視図に示すように、例えば、ストロボなどのフラッシュ装置を備えたレンズ付きフイルムユニットに本発明を適用してもよい。以下、図１０〜１２の外観斜視図を用いて、フラッシュ装置を備えたレンズ付きフイルムユニットの概略的な構成を説明する。なお、上記第１実施形態のレンズ付きフイルムユニット２と同じ機構については、同じ符号を付し詳しい説明を省略する。
【００４５】
レンズ付きフイルムユニット８０の前面には、被写体を照射するためのストロボ発光部８４と、３段階の切り替えが可能な撮影モード選択部８６とが設けられている。また、レンズ付きフイルムユニット８０の上面には、撮影準備が完了したことを知らせるためのシグナル部材８８が設けられている。
【００４６】
撮影モード選択部８６は、ユニット本体８２の前面に形成された操作開口９０と、この操作開口９０内で移動自在とされた略小判形状の操作部材９２とからなる。操作部材９２は、操作開口９０内の下方に位置する第１操作位置と、図１１に示すように、第１操作位置から上方に向けてスライドした第２操作位置と、図１２に示すように、第２操作位置から図中時計方向に回動した第３操作位置との間で移動する。
【００４７】
レンズ付きフイルムユニット８０は、操作部材９２が第１操作位置にある際に、ストロボＯＦＦ、小絞り、高速シャッタの第１撮影モードとなる。また、操作部材９２が第２操作位置にある際には、ストロボＯＮ、中絞り、高速シャッタの第２撮影モードとなる。この第２撮影モードでは、レンズ付きフイルムユニット８０の上面からシグナル部材８８が突出する。このシグナル部材８８はライトガイドであり、ストロボ充電の完了時に発光する発光素子の光を、ユニット本体８２の外に案内して、撮影準備が完了したことをユーザに知らせる。
【００４８】
さらに、操作部材９２が第３操作位置にある際には、ストロボＯＮ、大絞り、低速シャッタの第３撮影モードとなる。この第３撮影モードでは、ストロボ発光部８４の前方に板状の減光部材９４が下方から挿入され、ストロボ光量の減光が図られる。また、ファインダ６の前方には、円板状の指標板９６が突出する。この指標板９６は、ファインダ６内で視認されることにより、レンズ付きフイルムユニット８０が第３撮影モードにあることをユーザに知らせる。
【００４９】
レンズ付きフイルムユニット８０の各種の露出条件は、大絞りがＦ４．０、中絞りがＦ５．６、小絞りがＦ１６．０、高速シャッタが１／１００秒、低速シャッタが１／４５秒となるように、それぞれ設定されている。
【００５０】
このユニット本体８２の本体基部２３に高感度フイルムを装填した場合、ＩＳＯ１００を基準とした適正露出値は、第１撮影モードで９．６、第２撮影モードで６．６、第３撮影モードで４．５となり、第１撮影モードでは日中の屋外に対応し、第２撮影モードでは室内に対応し、第３撮影モードでは夜景に対応する。
【００５１】
一方、ユニット本体８２の本体基部２３に常用感度フイルムを装填した場合、ＩＳＯ１００を基準とした適正露出値は、第１撮影モードで１２．６、第２撮影モードで９．６、第３撮影モードで７．５となり、第１撮影モードでは晴天時の屋外に対応し、第２撮影モードでは曇天時の屋外に対応し、第３撮影モードでは室内に対応する。
【００５２】
このように、ストロボ発光部８４などのフラッシュ装置を備えたレンズ付きフイルムユニット８０であっても、適正露出値の異なる２つの製品を製造できることに変わりはないので、本発明の再生方法を適用することによって、上記第１実施形態と同様の効果を得ることができる。
【００５３】
なお、上記第１実施形態、及び第２実施形態のいずれにおいても、循環生産は、ユニット本体３、又は８２を再生させる際の品質を保証するために行うものであるから、ユニット本体３、又は８２に高感度フイルムを装填して販売した後、撮影済みのユニット本体３、又は８２を回収し、そのまま常用感度フイルムを再装填して販売するようにしてもよい。
【図面の簡単な説明】
【００５４】
【図１】レンズ付きフイルムユニットの第１撮影モードの状態を示す外観斜視図である。
【図２】レンズ付きフイルムユニットの第２撮影モードの状態を示す外観斜視図である。
【図３】レンズ付きフイルムユニットの構成を示す分解斜視図である。
【図４】絞り及びシャッタ速度切替機構の構成を示す分解斜視図である。
【図５】高速シャッタ位置にあるストップレバーでのシャッタレリーズを示す説明図である。
【図６】低速シャッタ位置にあるストップレバーでのシャッタレリーズを示す説明図である。
【図７】第１撮影モードでの絞り及びシャッタ速度切替機構の状態を示す説明図である。
【図８】第２撮影モードでの絞り及びシャッタ速度切替機構の状態を示す説明図である。
【図９】レンズ付きフイルムユニットの製造工程を示すフローチャートである。
【図１０】フラッシュ装置を備えたレンズ付きフイルムユニットの第１撮影モードの状態を示す外観斜視図である。
【図１１】フラッシュ装置を備えたレンズ付きフイルムユニットの第２撮影モードの状態を示す外観斜視図である。
【図１２】フラッシュ装置を備えたレンズ付きフイルムユニットの第３撮影モードの状態を示す外観斜視図である。
【符号の説明】
【００５５】
２、８０  レンズ付きフイルムユニット
３、８２  ユニット本体
５  撮影レンズ
８、８６  撮影モード選択部（撮影モード切り替え手段）
２２  フイルムパトローネ
２２ｂ  写真フイルム
３８  シャッタ羽根
４７  シャッタ駆動レバー
【図１】
2006071809.tif 000003
【図２】
2006071809.tif 000004
【図３】
2006071809.tif 000005
【図４】
2006071809.tif 000006
【図５】
2006071809.tif 000007
【図６】
2006071809.tif 000008
【図７】
2006071809.tif 000009
【図８】
2006071809.tif 000010
【図９】
2006071809.tif 000011
【図１０】
2006071809.tif 000012
【図１１】
2006071809.tif 000013
【図１２】
2006071809.tif 000014